【手続補正書】
【提出日】令和1年11月20日(2019.11.20)
【手続補正１】
【補正対象書類名】特許請求の範囲
【補正対象項目名】全文
【補正方法】変更
【補正の内容】
【特許請求の範囲】
【請求項１】
白色顔料含有生成物の製造プロセスであって、前記プロセルが以下の工程：
ａ）少なくとも１種類の白色顔料及び不純物含有物質を提供する工程；
ｂ）式（１）：
【化１】
2019511590.tif 000001
の化合物からなる群から選択される少なくとも１種類の捕収剤を提供する工程であって、式中；
Ｒ１ＣＯは、８〜２４個の炭素原子を有する、飽和又は不飽和、直鎖又は分岐鎖アシル基を示し；
Ｒ２は、
ｉ）直接結合、
ｉｉ）１つ以上の−ＯＨ基、１つ以上のメチル基及び／又はメチレン基、シクロアルキレン基、シクロアルケニレン基及び／又はアリーレン基によって任意に置換される、Ｃ１〜Ｃ２０、直鎖又は分岐鎖、飽和又は不飽和炭化水素鎖であり；
Ｒ３は、８〜２４個の炭素原子を有するヒドロカルビル基又は式Ｒ５−Ｏ−（Ａ’Ｏ）Ｗ−Ｔ−の基からなる群から選択され、式中；
Ｒ５は８〜２４個の炭素原子を有するヒドロカルビル基を示し；
ｗは０〜２０の範囲の数であり；
Ａ’Ｏは２〜４個の炭素原子を有するアルキレンオキシ基であり；並びに
Ｔは１〜６個の炭素原子を有するアルキレン基を示し、
Ｒ４は、ヒドロカルビル基又はベンジル基からなる群から選択され；
ＡＯは、２〜４個の炭素原子を有するアルキレンオキシ基を示し、
Ｘは、アルキル化剤Ｒ４Ｘに由来するアニオンを示し、式中Ｘは、ハロゲン、サルフェート又はカーボネートを示し；
ｘは、１〜２０の範囲内の数であり；
ｐは、１〜１５の範囲内の数であり；
ｔは０又は１であり；
ｙは０又は１であり；並びに
Ｇは式（２）；
【化２】
2019511590.tif 000002
の基を示し、式中；
Ｂは、１〜４個の炭素原子を有するアルキル基を示すか又は
ベンジル基を示し、
ｓは１、２又は３であり；
Ｒ４、Ｘ及びｔは上記に定義される通りであり；
Ｎ＋は、式（１）内のＲ３に結合しており；並びに
（ＣＨ２）Ｓは、式（１）内の四級窒素原子に結合している、工程；
ｃ）工程ａ）の前記白色顔料及び不純物含有物質と工程ｂ）の前記捕収剤を水性環境で混合し、水性懸濁液を形成する工程；
ｄ）工程ｃ）で形成される懸濁液に気体を通過させる工程；
ｅ）工程ｄ）の後に得られる水性懸濁液から白色顔料担持相を除去することによって白色顔料含有生成物を回収する工程
を含むことを特徴とする製造プロセス。
【請求項２】
前記Ｒ２は、Ａ）１〜２０個の炭素原子を有するアルキレンラジカルからなる群から選択され、前記アルキレンラジカルは、１又は２つの−ＯＨ基、１又は２つのメチル基及び／又はメチレン基、シクロアルキレン基、シクロアルケニレン基及び／又はアリーレン基で置換されているか、又は
Ｂ）１〜２０個の炭素原子を有するアルケニレンラジカルからなる群から選択され、前記置換アルケニレンラジカルは、１又は２つの−ＯＨ基、１又は２つのメチル基及び／又はメチレン基、シクロアルキレン基、シクロアルケニレン基及び／又はアリーレン基で置換されている、請求項１に記載のプロセス。
【請求項３】
本プロセスが、不純物及び白色顔料含有生成物を有する白色顔料担持相を含有する泡沫の形成をもたらす間接浮選工程によって行われる、請求項１又は２に記載のプロセス。
【請求項４】
白色顔料が、白色鉱物顔料である、請求項１〜３のいずれか１項に記載のプロセス。
【請求項５】
白色鉱物顔料が、天然炭酸カルシウム又は粉砕炭酸カルシウム、炭酸カルシウム含有鉱物物質、ドロマイト、バライト、酸化アルミニウム、二酸化チタン及び前述の物の混合物からなる群から選択される、請求項４に記載のプロセス。
【請求項６】
白色鉱物顔料は、炭酸アルカリ土類金属である、請求項４に記載のプロセス。
【請求項７】
白色鉱物顔料は、炭酸カルシウムである、請求項６に記載のプロセス。
【請求項８】
白色顔料含有物質は、硫化鉄、酸化鉄、黒鉛、ケイ酸塩及びそれらの混合物からなる群から選択される不純物を含む、請求項１〜７のいずれか１項に記載のプロセス。
【請求項９】
ケイ酸塩が、石英、雲母、角閃岩、長石、粘土鉱物及びそれらの混合物からなる群から選択される、請求項８に記載のプロセス。
【請求項１０】
ケイ酸塩が、石英である、請求項９に記載のプロセス。
【請求項１１】
ケイ酸塩が、ウォラストライト、カオリン、カオリナイト粘土、焼成カオリナイト粘土、モンモリロナイト、タルク、珪藻土、海泡石及びそれらの混合物からなる群から選択される白色ケイ酸塩である、請求項８に記載のプロセス。
【請求項１２】
工程ａ）の白色顔料及び不純物含有物質中の白色顔料の量が、乾燥重量に基づいて、０．１〜９９．９重量％である、請求項１〜１１のいずれか１項に記載のプロセス。
【請求項１３】
工程ａ）の白色顔料及び不純物含有物質中の白色顔料の量が、乾燥重量に基づいて、３０〜９９．７重量％である、請求項１２に記載のプロセス。
【請求項１４】
工程ａ）の白色顔料：白色顔料及び不純物含有物質中の不純物の比は、乾燥重量に基づいて、０．１：９９．９〜９９．９：０．１である、請求項１〜１３のいずれか１項に記載のプロセス。
【請求項１５】
工程ａ）の白色顔料：白色顔料及び不純物含有物質中の不純物の比は、乾燥重量に基づいて、３０：７０〜９９．７：０．３である、請求項１４に記載のプロセス。
【請求項１６】
工程ａ）の白色顔料及び不純物含有物質が、１〜１０００μｍの範囲の重量中央粒径を有する、請求項１〜１５のいずれか１項に記載のプロセス。
【請求項１７】
工程ａ）の白色顔料及び不純物含有物質が、３〜７００μｍの範囲の重量中央粒径を有する、請求項１６に記載のプロセス。
【請求項１８】
式（１）の化合物が、以下：
Ｒ１ＣＯは、１２〜２４個の炭素原子を有する飽和又は不飽和、直鎖又は分岐鎖アシル基からなる群から選択され；
Ｒ２は２〜６個の炭素原子を有するアルキレンラジカルを示し；
Ｒ３は１２〜２４個の炭素原子を含有するヒドロカルビル基又は式Ｒ５−Ｏ−（Ａ’Ｏ）Ｗ−Ｔ−の基を示し；式中、
Ｒ５は１２〜２４個の炭素原子を含有するヒドロカルビル基を示し；
ｗは０〜１０の範囲の数であり；
Ａ’Ｏは、２〜４個の炭素原子を有するアルキレンオキシ基を示し；並びに
Ｔは、１〜４個の炭素原子を有するアルキレン基を示し；
Ｒ４は、１〜４個の炭素原子を有するアルキル基を表し；
Ｘは、ハロゲン、サルフェート又はカーボネートを示し；
ＡＯは、２〜４個の炭素原子を有するアルキレンオキシ基を示し；
ｘは、１〜１０の範囲内の数であり；並びに
ｐは、１〜１０の範囲内の数である、
のように特徴付けられる、請求項１〜１７のいずれかに記載のプロセス。
【請求項１９】
式（１）の化合物において：
Ｒ１ＣＯは、１４〜２４個の炭素原子を有する飽和又は不飽和、直鎖又は分岐鎖アシル基からなる群から選択され；
ｗは０〜３の範囲の数であり；
Ｔは、２〜３個の炭素原子を有するアルキレン基を示し；
ＡＯは、２個の炭素原子を有するアルキレンオキシ基を示し；
ｘは、１〜６の範囲内の数であり；並びに／或いは
ｐは、１〜５の範囲内の数である、
のように特徴付けられる、請求項１８に記載のプロセス。
【請求項２０】
工程ｂ）で提供される化合物が、式（１ａ）：
【化３】
2019511590.tif 000003
の化合物からなる群から選択され、式中、
ＡＯ、ｐ、ｔ、ｘＲ１、Ｒ２、Ｒ３、Ｒ４及びＸが、請求項１に定義される通りである、請求項１〜１９のいずれか１項に記載のプロセス。
【請求項２１】
工程ｂ）で提供される化合物が、式（１ａ）：
【化４】
2019511590.tif 000004

の化合物からなる群から選択され、式中、
ＡＯ、ｐ、ｔ、ｘＲ１、Ｒ２、Ｒ３、Ｒ４及びＸが、請求項１８又は１９に定義される通りである、請求項２０に記載のプロセス。
【請求項２２】
式（１ａ）の化合物が、以下： 
Ｒ１ＣＯは、１２〜２４個の炭素原子を有する、飽和又は不飽和、直鎖又は分枝鎖アシル基からなる群から選択され；
Ｒ２は、１〜２０個の炭素原子を有するアルキレンラジカルを示し；
Ｒ３は８〜２４個の炭素原子を有するヒドロカルビル基を示し、
Ｒ４は１〜４個の炭素原子を有するヒドロカルビル基であり；
ＡＯは、アルキレンオキシ基であり；
Ｘは、アルキル化剤Ｒ４Ｘであり；
ｘは、１〜１５の範囲内の数であり；
ｐは、１〜１５の範囲の数であり；並びに
ｔは０又は１である、
のように特徴付けられる、請求項２０又は２１に記載のプロセス。
【請求項２３】
式（１ａ）の化合物において：
Ｒ１ＣＯは、１４〜２４個の炭素原子を有する、飽和又は不飽和、直鎖又は分枝鎖アシル基からなる群から選択され；
Ｒ２は、１〜１０個の炭素原子を有するアルキレンラジカルを示し；
Ｒ３は１２〜２４個の炭素原子を有するヒドロカルビル基を示し、
Ｒ４は１又は２個の炭素原子を有するアルキル基を示し；
ＡＯは、エトキシ基であり；
Ｘは、塩化物又は硫酸塩に由来するアニオンであり；
ｘは、２〜１０の範囲内の数であり；並びに／或いは
ｔは１である、
のように特徴付けられる、請求項２２に記載のプロセス。
【請求項２４】
式（１ａ）の化合物が、少なくとも１つの以下の特徴：
Ｒ１は、２−エチルヘキサン酸、ｎ−オクタン酸、ｎ−デカン酸、ｎ−ドデカン酸、ｎ−テトラデカン酸、ｎ−ヘキサデカン酸、パルミトレイン酸、ｎ−オクタデカン酸、オレイン酸、リノール酸、リノレン酸、エイコサン酸、ドコサン酸、テトラコサン酸、ココ脂肪酸、ナタネ脂肪酸、ダイズ脂肪酸、タロー脂肪酸、パーム油脂肪酸、トール油脂肪酸、ガドレイン酸エルカ酸、これらの酸の水素添加形態及びそれらの混合物からなる群から選択される脂肪酸に由来し；
Ｒ２はジカルボン酸、ジカルボン酸塩化物、ジカルボン酸のジエステル、ジカルボン酸の無水物及びそれらの混合物からなる群から選択される化合物に由来し；
Ｒ３は２−エチルヘキシルアミン、２−プロピルヘプチルアミン、ｎ−オクチルアミン、ｎ−デシルアミン、ｎ−ドデシルアミン、（ココアルキル）−アミン、（パーム油アルキル）アミン、ｎ−テトラデシルアミン、ｎ−ヘキサデシルアミン、ｎ−オクタデシルアミン、オレイルアミン、（タローアルキル）−アミン、（水素添加タローアルキル）−アミン、（ナタネアルキル）−アミン、（ダイズアルキル）−アミン、エルシルアミン、Ｎ−（ｎ−デシル）−Ｎ−メチル−トリメチレン−ジアミン、Ｎ−（ｎ−ドデシル）−Ｎ−メチル−トリメチレン−ジアミン、Ｎ−（ココアルキル）−Ｎ−メチル−トリメチレン−ジアミン、Ｎ−（ナタネアルキル）−Ｎ−メチル−トリメチレン−ジアミン、Ｎ−（ダイズアルキル）−Ｎ−メチル−トリメチレン−ジアミン、Ｎ−（タローアルキル）−Ｎ−メチル−トリメチレン−ジアミン、Ｎ−（水素添加タローアルキル）−Ｎ−メチル−トリメチレン−ジアミン、Ｎ−（エルシル）−Ｎ−メチル−トリメチレン−ジアミン、イソトリデシルオキシプロピルアミン及びそれらの混合物からなる群から選択される脂肪族アミンに由来し；
Ｒ４は、硫酸ジメチル、硫酸ジエチル、炭酸ジメチル、塩化ベンジル、臭化メチル、塩化メチル、ヨウ化メチル及びそれらの混合物からなる群から選択されるアルキル化剤に由来する、
を有する、請求項２０〜２３のいずれか１項に記載のプロセス。
【請求項２５】
式（１ａ）の化合物において：
Ｒ１は、タロー脂肪酸に由来し；
Ｒ２は、シュウ酸、マロン酸、コハク酸、グルタル酸、グルタコン酸、アジピン酸、ムコン酸、ピメリン酸、フタル酸、テレフタル酸、テトラヒドロフタル酸、リンゴ酸、マレイン酸、フマル酸、スベリン酸、メサコン酸、セバシン酸、アゼライン酸、酒石酸、イタコン酸、グルチン酸（ｇｌｕｔｉｎｉｃ  ａｃｉｄ）、シトラコン酸、ブラシル酸、ドデカン二酸、トラウマチン酸、タプシン酸、相当する酸塩化物、それらの化合物のメチル若しくはエチルエステル又は無水物及びそれらの混合物からなる群から選択される化合物に由来し；
Ｒ３は、（ココアルキル）−アミン又は（タローアルキル）−アミンに由来し；並びに／或いは
Ｒ４は、硫酸ジメチル又は塩化メチルに由来する、
を有する、請求項２４に記載のプロセス。
【請求項２６】
工程ｂ）の捕収剤が、１種類以上の式（１）及び／又は（１ａ）の化合物からなる、請求項１〜２５のいずれか１項に記載のプロセス。
【請求項２７】
工程ｃ）で得られる水性懸濁液が、ｐＨ７〜１０を有する、請求項１〜２６のいずれか１項に記載のプロセス。
【請求項２８】
工程ｃ）で得られる水性懸濁液が、ｐＨ７．５〜９．５を有する、請求項２７に記載のプロセス。
【請求項２９】
捕収剤が、工程ａ）の前記白色顔料及び不純物含有物質の総乾燥重量に基づいて１〜５０００ｐｐｍの量で、工程ｃ）で添加される、請求項１〜２８に記載のプロセス。
【請求項３０】
捕収剤が、工程ａ）の前記白色顔料及び不純物含有物質の総乾燥重量に基づいて２０〜２０００ｐｐｍの量で、工程ｃ）で添加される、請求項２９に記載のプロセス。
【請求項３１】
工程ｃ）で得られる水性懸濁液が、懸濁液中の固形分の総重量に基づいて、５〜８０重量％の間の固形分含有量を有する、請求項１〜３０のいずれか１項に記載のプロセス。
【請求項３２】
工程ｃ）で得られる水性懸濁液が、懸濁液中の固形分の総重量に基づいて、１０〜７０重量％の間の固形分含有量を有する、請求項３１に記載のプロセス。
【請求項３３】
１種類以上の添加剤が、工程ｃ）の前、その間又は後に水性懸濁液に添加され、添加剤が、ｐＨ調整剤、溶媒、抑制剤、高分子電解質、発泡剤及び式（１）又は（１ａ）の捕収剤以外の捕収剤を含む群から選択される、請求項１〜３２のいずれか１項に記載のプロセス。
【請求項３４】
工程ｃ）で得られる水性懸濁液が、工程ｃ）の間及び／又はその後に粉砕される、請求項１〜３３のいずれか１項に記載のプロセス。
【請求項３５】
工程ｄ）の気体が空気である、請求項１〜３４のいずれか１項に記載のプロセス。
【請求項３６】
工程ｄ）の懸濁液が、５〜４０℃の間の温度を有する、請求項１〜３５のいずれか１項に記載のプロセス。
【請求項３７】
工程ｄ）の懸濁液が、１０〜４０℃の間の温度を有する、請求項３６に記載のプロセス。
【請求項３８】
工程ｅ）から得られる白色顔料担持相が、工程ｅ）の前及び／又は後に分散及び／又は粉砕される、請求項１〜３７のいずれか１項に記載のプロセス。
【請求項３９】
工程ｅ）から得られる白色顔料担持相が、少なくとも１種類の分散剤及び／又は少なくとも１種類の粉砕助剤の存在下で分散及び／又は粉砕される、請求項３８に記載のプロセス。
【請求項４０】
紙、プラスチック、塗料、コーティング、コンクリート、セメント、化粧品、水処理、食品、製薬、インク及び／又は農業用途における、請求項１〜３９のいずれか１項に記載の本プロセスによって得ることができる白色顔料担持相の使用。
【請求項４１】
白色顔料含有生成物が、抄紙機のウェットエンドプロセスにおいて、たばこ巻紙、板、及び／若しくはコーティング用途において、又は輪転グラビア印刷及び／若しくはオフセット印刷及び／若しくはインクジェット印刷及び／若しくは連続インクジェット印刷及び／又はフレキソ印刷及び／又は電子写真及び／又は装飾表面の支持体として使用される、請求項４０に記載の使用。